【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
複数の伝送レートが用意された通信環境下で、通信局同士で適当な伝送レートを用いて情報伝送を行なう無線通信システムであって、
パケットを送信する送信局が次に続くパケット送信に使用する伝送レートを決定する際に、受信局からフィードバックされる伝送レートに決定する第１のモードと、受信局からの伝送レートのフィードバックに拘らず送信局が独自に伝送レートを決定する第２のモードと、受信局からフィードバックされる伝送レートを考慮しながら送信局が伝送レートを決定する第３のモードを有し、
前記第１乃至第３のモードのいずれかに基づいて伝送レートが決定される、
ことを特徴とする無線通信システム。
【請求項２】
前記第１のモードにおいて、受信局は、次に続くパケットの送信に使用すべき伝送レートを送信局にフィードバックするとともに、該フィードバックする伝送レートに基づいて周辺局の送信停止期間を設定する、
ことを特徴とする請求項１に記載の無線通信システム。
【請求項３】
前記第２のモードにおいて、受信局は、送信局が指定した伝送レートに基づいて周辺局の送信停止期間を設定する、
ことを特徴とする請求項１に記載の無線通信システム。
【請求項４】
前記第３のモードにおいて、受信局は、送信局が次に続くパケットの送信に使用すべき伝送レートを送信局にフィードバックするとともに、送信局が指定したデフォルト伝送レートに基づいて周辺局の送信停止期間を設定する、
ことを特徴とする請求項１に記載の無線通信システム。
【請求項５】
送信局は、
前記第１のモードにおいて、受信局からフィードバックされた推奨伝送レートで次のパケットを送信し、
前記第２のモードにおいて、受信局からの伝送レートのフィードバックの有無に拘らず、デフォルト伝送レートで次に続くパケットを送信し、
前記第３のモードにおいて、受信局からフィードバックされた伝送レートを考慮してさらに次に続くパケットの伝送レートを決定し、デフォルト伝送レートで次のパケットを送信する、
ことを特徴とする請求項１に記載の無線通信システム。
【請求項６】
送信局は、前記第３のモードにおいて、受信局からフィードバックされた伝送レートと、伝送データが持つ重要度と、データ伝送時の消費電力のうち少なくとも１つを考慮して、さらに次に続くパケットの伝送レートを決定する、
ことを特徴とする請求項１に記載の無線通信システム。
【請求項７】
送信局は、送信パケットに次に続くパケット送信に利用するデフォルト伝送レートと現在の状態を記載する、
ことを特徴とする請求項１に記載の無線通信システム。
【請求項８】
送信局は、送信パケットに、第１乃至第３のモードのいずれかを記載する、
ことを特徴とする請求項７に記載の無線通信システム。
【請求項９】
送信局は、送信パケットに、第１又は第２のモードのいずれかを記載し、
受信局は、第２のモードが指定されたときであっても、伝送レートのフィードバックが許容され、
送信局は、第２のモードを指定して伝送レートのフィードバックを受けたときには、第３のモードとして、受信局からフィードバックされる伝送レートを考慮して、さらに次に続くパケットの伝送レートを決定し、デフォルト伝送レートで前記フィードバックを受信した直後のパケットを送信する、
ことを特徴とする請求項７に記載の無線通信システム。
【請求項１０】
送信局は、データ・パケットを送信するデフォルト伝送レート及び状態を設定し、データ・パケットのサイズとデフォルト伝送レートと状態を記載した送信要求パケットを受信局に宛てて送信し、
受信局は、送信要求パケットに記載された状態に基づいて、伝送レートのフィードバックの有無を決定するとともに、次に続いて送信されるデータ・パケットの伝送レートに基づいて周辺局の送信停止期間を設定し、確認通知パケットを送信局に宛てて送信する、
ことを特徴とする請求項１に記載の無線通信システム。
【請求項１１】
第１のモードでは、
受信局は、確認通知パケットでデータ・パケット受信時に推奨する推奨伝送レートのフィードバックを行なうとともに、該推奨伝送レートに基づいて周辺局の送信停止期間を設定し、
送信局は、受信局からフィードバックされた推奨伝送レートで次に続くデータ・パケットの送信を行なう、
ことを特徴とする請求項１０に記載の無線通信システム。
【請求項１２】
第２のモードでは、
受信局は、送信要求パケットで指定されたデフォルト伝送レートに基づいて周辺局の送信停止期間を設定し、
送信局は、デフォルト伝送レートで次に続くデータ・パケットの送信を行なう、
ことを特徴とする請求項１０に記載の無線通信システム。
【請求項１３】
第３のモードでは、
受信局は、確認通知パケットでデータ・パケット受信時に推奨する推奨伝送レートのフィードバックを行なうとともに、送信要求パケットで指定されたデフォルト伝送レートに基づいて周辺局の送信停止期間を設定し、
送信局は、受信局からフィードバックされた推奨伝送レートを考慮して、さらに次に続くデータ・パケットを送信する際の伝送レートを決定し、デフォルト伝送レートで確認通知パケット受信直後のデータ・パケットの送信を行なう、
ことを特徴とする請求項１０に記載の無線通信システム。
【請求項１４】
送信要求パケットで第２のモードが指定されているときに、
受信局は、必要に応じて推奨伝送レートのフィードバックを確認通知パケットで行なうとともに、送信要求パケットで指定されたデフォルト伝送レートに基づいて周辺局の送信停止期間を設定し、
送信局は、受信局からフィードバックされた推奨伝送レートを考慮して、さらに次に続くデータ・パケットを送信する際のデフォルト伝送レートを決定し、デフォルト伝送レートで確認通知パケット受信直後のパケットを送信する、
ことを特徴とする請求項１２に記載の無線通信システム。
【請求項１５】
複数の伝送レートが用意された通信環境下で伝送レートを設定して情報伝送を行なう無線通信装置であって、
自局の送信パケットを生成するパケット生成部と、
他局からの受信パケットを解析するパケット解析部と、
通信動作を制御する制御部とを備え、
前記制御部は、データ送信時において、受信局からフィードバックされる伝送レートに決定する第１のモードと、受信局からの伝送レートのフィードバックに拘らず独自に伝送レートを決定する第２のモードと、受信局からフィードバックされる伝送レートを考慮し、さらに次に続くパケットを送信する際の伝送レートを決定する第３の状態のいずれかのモードを設定する、
ことを特徴とする無線通信装置。
【請求項１６】
前記制御部は、
前記第１のモードでは、受信局からフィードバックされた推奨伝送レートで次に続くパケットを送信し、
前記第２のモードでは、受信局からの推奨伝送レートのフィードバックの有無に拘らず、デフォルト伝送レートで次に続くパケットを送信し、
前記第３のモードでは、受信局からフィードバックされた推奨伝送レートを考慮して、さらに次に続くパケットの伝送レートを決定し、デフォルト伝送レートで前記フィードバックを受信した直後のパケットを送信する、
ことを特徴とする請求項１５に記載の無線通信装置。
【請求項１７】
前記制御部は、前記第３のモードでは、受信局からフィードバックされた伝送レートと、伝送データが持つ重要度と、データ伝送時の消費電力のうち少なくとも１つを考慮して、さらに次に続くパケットの伝送レートを決定する、
ことを特徴とする請求項１５に記載の無線通信装置。
【請求項１８】
前記制御部は、送信パケットに次のパケット送信に利用するデフォルト伝送レートと現在の状態を記載する、
ことを特徴とする請求項１５に記載の無線通信装置。
【請求項１９】
前記制御部は、送信パケットに、第１乃至第３のモードのいずれかを記載する、
ことを特徴とする請求項１８に記載の無線通信装置。
【請求項２０】
前記制御部は、送信パケットに、第１又は第２のモードのいずれかを記載し、第２のモードを指定して伝送レートのフィードバックを受けたときには、第３のモードとして、受信局からフィードバックされる伝送レートを考慮し、さらに次に続くパケットを送信する際の伝送レートを決定し、デフォルト伝送レートで前記フィードバックを受信した直後のデータ・パケットの送信を行なう、
ことを特徴とする請求項１８に記載の無線通信装置。
【請求項２１】
前記制御部は、データ・パケットを送信するデフォルト伝送レート及び状態を設定し、データ・パケットのサイズとデフォルト伝送レートと状態を記載した送信要求パケットを受信局に宛てて送信し、
ことを特徴とする請求項１５に記載の無線通信装置。
【請求項２２】
複数の伝送レートが用意された通信環境下で伝送レートを設定して情報伝送を行なう無線通信装置であって、
自局の送信パケットを生成するパケット生成部と、
他局からの受信パケットを解析するパケット解析部と、
通信動作を制御する制御部とを備え、
自局からフィードバックされる伝送レートにて送信局がデータ送信する第１のモードと、自局からの伝送レートのフィードバックに拘らず送信局が独自に伝送レートを決定する第２のモードと、自局からフィードバックされる伝送レートを考慮しながら送信局が伝送レートを最終決定する第３のモードのうちいずれかが送信局との間で設定され、
前記制御部は、
前記第１のモードでは、次のパケットの送信に使用すべき伝送レートを送信局にフィードバックするとともに、該フィードバックする伝送レートに基づいて周辺局の送信停止期間を設定し、
前記第２のモードでは、送信局が指定した伝送レートに基づいて周辺局の送信停止期間を設定し、
前記第３のモードでは、次に続くパケットの送信に使用すべき伝送レートを送信局にフィードバックするとともに、送信局が指定したデフォルト伝送レートに基づいて周辺局の送信停止期間を設定する、
ことを特徴とする無線通信装置。
【請求項２３】
送信局は、送信パケットに次のパケット送信に利用するデフォルト伝送レートと現在の状態を記載し、
データ受信に際し、前記制御部は、送信局が指定した状態に基づいてデータ受信動作を制御する、
ことを特徴とする請求項２２に記載の無線通信装置。
【請求項２４】
前記制御部は、第２のモードが指定されたときであっても、必要に応じて伝送レートのフィードバックを行なう、
ことを特徴とする請求項２３に記載の無線通信装置。
【請求項２５】
送信局は、データ・パケットを送信するデフォルト伝送レート及び状態を設定し、データ・パケットのサイズとデフォルト伝送レートと状態を記載した送信要求パケットを受信局に宛てて送信し、
前記制御部は、送信要求パケットに記載された状態に基づいて、伝送レートのフィードバックの有無を決定するとともに、次に送信されるデータ・パケットの伝送レートに基づいて周辺局の送信停止期間を設定し、確認通知パケットを送信局に宛てて送信する、
ことを特徴とする請求項２２に記載の無線通信装置。
【請求項２６】
第１のモードでは、前記制御部は、確認通知パケットでデータ・パケット受信時に推奨する推奨伝送レートのフィードバックを行なうとともに、該推奨伝送レートに基づいて周辺局の送信停止期間を設定する、
ことを特徴とする請求項２５に記載の無線通信装置。
【請求項２７】
第２のモードでは、前記制御部は、送信要求パケットで指定されたデフォルト伝送レートに基づいて周辺局の送信停止期間を設定する、
ことを特徴とする請求項２５に記載の無線通信装置。
【請求項２８】
第３のモードでは、前記制御部は、確認通知パケットでデータ・パケット受信時に推奨する推奨伝送レートのフィードバックを行なうとともに、送信要求パケットで指定されたデフォルト伝送レートに基づいて周辺局の送信停止期間を設定する、
ことを特徴とする請求項２５に記載の無線通信装置。
【請求項２９】
送信要求パケットで第２のモードが指定されているときに、前記制御部は、必要に応じて推奨伝送レートのフィードバックを確認通知パケットで行なうとともに、送信要求パケットで指定されたデフォルト伝送レートに基づいて周辺局の送信停止期間を設定する、
ことを特徴とする請求項２７に記載の無線通信装置。
【請求項３０】
複数の伝送レートが用意された通信環境下で伝送レートを設定して情報伝送を行なうための無線通信方法であって、データ送信時において、
受信局からフィードバックされる伝送レートに決定する第１のモードと、受信局からの伝送レートのフィードバックに拘らず独自に伝送レートを決定する第２のモードと、受信局からフィードバックされる伝送レートを考慮し、さらに次に続くパケットを送信する際の伝送レートを決定し、デフォルト伝送レートでフィードバックを受信した直後のデータ・パケットの送信を行なう第３のモードのいずれかの状態を設定するステップと、
該設定した状態と受信局からフィードバックされる伝送レートに基づいて決定される伝送レートで次に続くデータ送信を行なうステップと、
を具備することを特徴とする無線通信方法。
【請求項３１】
複数の伝送レートが用意された通信環境下で伝送レートを設定して情報伝送を行なうための無線通信方法であって、データ受信時において、
自局からフィードバックされる伝送レートにて送信局がデータ送信する第１のモードと、自局からの伝送レートのフィードバックに拘らず送信局が独自に伝送レートを決定する第２のモードと、自局からフィードバックされる伝送レートを考慮しながら送信局が伝送レートを決定する第３のモードのうちいずれが設定されているかを確認するステップと、
前記第１のモードにおいて、次のパケットの送信に使用すべき伝送レートを送信局にフィードバックするとともに、該フィードバックする伝送レートに基づいて周辺局の送信停止期間を設定するステップと、
前記第２のモードにおいて、送信局が指定した伝送レートに基づいて周辺局の送信停止期間を設定するステップと、
前記第３のモードにおいて、次に続くパケットの送信に使用すべき伝送レートを送信局にフィードバックするとともに、送信局が指定したデフォルト伝送レートに基づいて周辺局の送信停止期間を設定するステップと、
を具備することを特徴とする無線通信方法。
【請求項３２】
複数の伝送レートが用意された通信環境下で伝送レートを設定して情報伝送を行なうための処理をコンピュータ・システム上で実行するようにコンピュータ可読形式で記述されたコンピュータ・プログラムであって、データ送信時において、前記コンピュータ・システムに対し、
受信局からフィードバックされる伝送レートに決定する第１のモードと、受信局からの伝送レートのフィードバックに拘らず独自に伝送レートを決定する第２のモードと、受信局からフィードバックされる伝送レートを考慮し、さらに次に続くパケットを送信する際の伝送レートを決定し、デフォルト伝送レートでフィードバックを受信した直後のデータ・パケットの送信を行なう第３のモードのいずれかの状態を設定する手順と、
該設定した状態と受信局からフィードバックされる伝送レートに基づいて決定される伝送レートでデータ送信を行なう手順と、
を実行させることを特徴とするコンピュータ・プログラム。
【請求項３３】
複数の伝送レートが用意された通信環境下で伝送レートを設定して情報伝送を行なうための処理をコンピュータ・システム上で実行するようにコンピュータ可読形式で記述されたコンピュータ・プログラムであって、データ受信時において、前記コンピュータ・システムに対し、
自局からフィードバックされる伝送レートにて送信局がデータ送信する第１のモードと、自局からの伝送レートのフィードバックに拘らず送信局が独自に伝送レートを決定する第２のモードと、自局からフィードバックされる伝送レートを考慮し、さらに次に続くパケットを送信する際の伝送レートを送信局が決定し、デフォルト伝送レートでフィードバックを受信した直後のデータ・パケットの送信を行なう第３のモードのうちいずれが設定されているかを確認する手順と、
前記第１のモードにおいて、次のパケットの送信に使用すべき伝送レートを送信局にフィードバックするとともに、該フィードバックする伝送レートに基づいて周辺局の送信停止期間を設定する手順と、
前記第２のモードにおいて、送信局が指定した伝送レートに基づいて周辺局の送信停止期間を設定する手順と、
前記第３のモードにおいて、次に続くパケットの送信に使用すべき伝送レートを送信局にフィードバックするとともに、送信局が指定したデフォルト伝送レートに基づいて周辺局の送信停止期間を設定する手順と、
を実行させることを特徴とするコンピュータ・プログラム。